(57)【特許請求の範囲】
【請求項１】
内外径が一定な円筒状直部（１）と、その直部（１）の一端に設けられて内外径が前記直部（１）より大きい受口（２）と、同他端に設けられて前記直部（１）と内径が等しく前記受口（２）に嵌り得る外径の挿し口（３）とからなり、前記直部（１）の外周面から前記受口（２）の外周面の長さ方向途中に至るコンクリート層（４）を設けるとともに、その受口（２）の外周面に前記途中から受口（２）の先端に向かい途中で途切れる樹脂層（１０）を設けて、前記直部（１）から受口（２）途中に至るコンクリート層（４）、前記樹脂層（１０）及びその樹脂層（１０）が途切れて先端までの受口先端部の各外周面の外径を一様とし、前記挿し口（３）を受口（２）に差し込んで接続しつつ前記コンクリート層（４）、樹脂層（１０）及び受口（２）の先端部の各外周面を地盤に接触させて地中を推進させる、地盤地下に埋設する推進管。
【請求項２】
上記樹脂層を樹脂筒（１０）の嵌め込みによって形成したことを特徴とする請求項１に記載の推進管。
【請求項３】
上記樹脂筒（１０）をその周方向で分割し、その分割片を受口の外周面に宛がい固定したことを特徴とする請求項２に記載の推進管。
【請求項４】
上記樹脂筒（１０）の内面と受口（２）の外面の間に接着材を介在したことを特徴とする請求項２又は３に記載の推進管。
【請求項５】
請求項１乃至４の何れか一つに記載の推進管の製造方法であって、上記直部（１）と、その直部（１）の一端に設けられて内外径が前記直部（１）より大きい受口（２）と、同他端に設けられて前記直部（１）と内径が等しく前記受口（２）に嵌り得る外径の挿し口（３）と有するダクタイル鋳鉄管を製造した後、そのダクタイル鋳鉄管の受口（２）に上記樹脂層（１０）を形成し、その後、直部（１）に上記コンクリート層（４）を形成することを特徴とする推進管の製造方法。
【発明の詳細な説明】
【技術分野】
【０００１】
この発明は、上水道、ガス、下水道、農業水道、工業水道等に用いる流体輸送用配管を地下に埋設するための非開削推進工法に使用する推進管に関するものである。
【背景技術】
【０００２】
この種の推進工法に使用するダクタイル鋳鉄製推進管として、図２に示す、内外径が一定な直部１の両端に受口２及び挿し口３を形成し、直部１の外周面から受口２の外周面に至るコンクリート層４、４ａを設けて、その直部１と受口２のコンクリート層４、４ａの外周面に凹凸を無くした（外径を一様とした）ものがある。この種の推進管は、通常、呼び径：２５０ｍｍ〜２６００ｍｍ等である。
【０００３】
この図２に示す推進管Ａ’は、ＮＳ形継手構造となっており、ゴム輪５及びロックリング６を内装した受口２に、フランジ７、推進力伝達材８を介在して挿し口３を差し込んで接続しつつ推進して地下に埋設する。
この継手構造においては、地震等が生じて受口２に対し挿し口３の抜き差し（伸縮）が生じると、挿し口３の先端が受口２の内周面の奥壁に当接してそれ以上の差し込みを阻止するとともに、挿し口３の先端外周の突起９がロックリング６に当接してそれ以上の抜き出しを阻止する（特許文献１、段落００１５〜同００１６、図１等参照）。
【先行技術文献】
【特許文献】
【０００４】
【特許文献１】特許第３７５６８７６号公報
【発明の概要】
【発明が解決しようとする課題】
【０００５】
この種の推進管を、地表を掘削することなく、地中を貫通する非開削工法に使用する際、コンクリート層４、４ａによって、直部１と受口２の外周面に凹凸を無くしているため、その推進時の推進管Ａ’とその外側の地盤との摩擦を極力少なくしている。
しかし、その摩擦が少なくなっても、推進時に推進管の外周面（コンクリート層４、４ａの外周面）に加わる力は大きく、特に、受口２の外周のコンクリート層４ａは薄厚のため、衝撃等により剥離して破損する恐れが高い。破損して欠け落ちれば、凹凸が生じて推進作用に支障がでる。
このため、従来では、図３に示すように、金網ａを埋設したりして、コンクリート層４ａの強度を高めている。このとき、直部１外周面のコンクリート層４にも金網ａ等を埋設する。
この金網ａの埋設（介在）及びその埋設状態でのコンクリート層４ａの打設は、作業が繁雑となり、コストアップにもなる。
【０００６】
この発明は、以上の実状の下、受口外周のコンクリート層４ａを他の部材によって機能を損なうことなく安価に代替することを課題とする。
【課題を解決するための手段】
【０００７】
上記課題を達成するため、この発明は、受口のコンクリート層を樹脂層に代えることとしたのである。
樹脂層は、コンクリート層に比べれば、容易に摩擦や衝撃に強いものとすることができる上に、型枠内への樹脂装填等によって容易に設けることができるため、コンクリート層４ａの形成に比べれば、その形成作業も容易で安価である。
【０００８】
この発明の構成としては、内外径が一定な円筒状直部と、その直部の一端に設けられて内外径が直部より大きい受口と、同他端に設けられて直部と内径が等しく受口に嵌り得る外径の挿し口とからなり、直部の外周面から受口の外周面の長さ方向途中に至るコンクリート層を設けるとともに、その受口の外周面に前記途中から受口の先端に向かい途中で途切れる樹脂層を設けて、直部から受口途中に至るコンクリート層、樹脂層及びその樹脂層が途切れて先端までの受口先端部の各外周面の外径を一様とし、挿し口を受口に差し込んで接続しつつコンクリート層、樹脂層及び受口の先端部の各外周面を地盤に接触させて地中を推進させる、地盤地下に埋設する推進管としたのである。
その樹脂層の材料としては、施工時（推進時）、摩擦や衝撃等によって損壊や崩壊しない強度を有するものであれば、何れでも良く、例えば、ポリエチレン、ポリプロピレン、塩化ビニル等の種々の樹脂が考えられ、それらの樹脂において繊維強化プラスチック（ＦＲＰ）等とすることもできる。
【０００９】
この構成において、上記樹脂層は、受口に被せた型枠内に樹脂を装填することによって形成しても良いが、樹脂筒の嵌め込みによって形成することができる。樹脂筒は、成型品として大量生産することができて、より安価なものとなる。
樹脂筒は、その周方向で分割し、その分割片を受口の外周面に宛がって固定することができる。その固定手段には、分割片同士の嵌り合いや、受口外周面との間への接着材の介在等が考えられる。接着材としては種々のものが考えられるが、例えば、コンクリートを挙げることができる。接着材は分割しない樹脂筒においてもその樹脂筒と受口との間に介在することができる。接着材の介在は、樹脂筒と受口の隙間をなくすため、隙間の存在による樹脂筒の破損を防止する作用も発揮する。
【００１０】
上記の各構成の推進管の製造方法としては、まず、上記内外径が一定な円筒状直部と、その直部の一端に設けられて内外径が直部より大きい受口と、同他端に設けられて直部と内径が等しく受口に嵌り得る外径の挿し口とを有するダクタイル鋳鉄管を遠心鋳造法等によって製造し、つぎに、そのダクタイル鋳鉄管の受口に上記樹脂層を形成し、その後、直部にコンクリート層を形成する構成等を採用することができる。
コンクリート層の形成よりも、樹脂層の形成の方がその範囲も狭いことから容易であり、このため、樹脂層を先に形成することは作業性の面から有利である。
【発明の効果】
【００１１】
この発明は、以上のように、受口外周面のコンクリート層を樹脂層に代えたので、安価な推進管とすることができる。
【図面の簡単な説明】
【００１２】
【図１】この発明に係る推進管の一実施形態の要部断面図
【図２】従来の推進管の継手部の要部断面図
【図３】同従来の推進管の一例の要部断面図
【発明を実施するための形態】
【００１３】
この実施形態の推進管Ａも、図２に示すＮＳ形継手構造のものと同様に、内外径が一定な円筒状直部１と、その直部１の一端に設けられて内外径が直部１より大きい受口２と、同他端に設けられて直部１と内径が等しく受口２に嵌り得る外径の挿し口３とからなるダクタイル鋳鉄管である。
このダクタイル鋳鉄管は、従来と同様に、遠心鋳造法等によって製造する。
【００１４】
この発明の特徴は、図１に示すように、直部１の外周面から受口２の外周面の長さ方向途中までコンクリート層４を設けているが、その先の受口２の外周面の前記途中から受口２の先端に向かい途中で途切れる樹脂筒１０が嵌められている点である。この樹脂層（樹脂筒）１０は、コンクリート層４を形成する前に形成する。すなわち、樹脂層１０を形成後、従来と同様に、その樹脂層１０を有するダクタイル鋳鉄管を型枠内に装填し、その型枠内にコンクリートを打設して直部１から受口２の一部の外周面にコンクリート層４を形成する。
【００１５】
上記樹脂筒１０の外径は、図１の鎖線で示すように、直部１のコンクリート層４とほぼ同一の径とすることが好ましいが、推進に支障が無い限りにおいて、図示実線で示すように小径としたり、逆に、大径としたりすることができる。また、樹脂筒１０の前記受口２の外周面の途中の始点（図１において右端）は、直部１のコンクリート層４の厚みが薄くなって剥離等の支障がでない点を考慮して、図に示す、直部１から受口２に至る円弧状傾斜面を超えた位置等を実験などによって適宜に選択する。
【００１６】
また、樹脂筒１０は、全周に亘って切れ目のない筒状のものとしたり、周方向に分割したりしたものとすることができる。その分割数は任意である。
分割した場合、その各分割片は、筒状に突き合わせた際、その突き合わせ面に相互に嵌り合う凹凸の嵌合部を設けることができる。
【００１７】
樹脂筒１０の受口２の外周面への取付けは、切れ目のない筒状の場合は、挿し口３側から樹脂筒１０を差し入れて受口２の外周面に嵌める。このとき、樹脂筒１０の内径を受口２の外周面の外径より少し小さくして圧入することもできる。
分割片の場合は、各分割片を受口２の外周面に宛がって設けることとなる。
いずれの場合も、樹脂筒１０の内面と受口２の外周面との間にはコンクリート等の接着材を介在して樹脂筒１０の受口２への固着力を増すことが好ましい。
【００１８】
この実施形態の推進管Ａも、従来と同様に、ゴム輪５及びロックリング６を内装した受口２に、フランジ７、推進力伝達材８を介在して挿し口３を差し込んで接続しつつ推進して地下に埋設する。
この推進時、直部１の外周面と受口２の外周面（直部１から受口２途中に至るコンクリート層４、樹脂層１０及びその樹脂層１０が途切れて先端までの受口２先端部の各外周面）がほぼ面一（外径が一様）となっているため、この推進管Ａの外周面は全長に亘って凹凸は少なく、円滑な推進が行われる。
地震等が生じれば、同様に、挿し口３の先端が受口２の内周面の奥壁に当接してそれ以上の差し込みを阻止するとともに、挿し口３の先端外周の突起９がロックリング６に当接してそれ以上の抜き出しを阻止する。
【００１９】
上記実施形態の推進管Ａは、ＮＳ形継手構造のものであったが、ＪＤＰＡ  Ｇ  １０２９で規定する、呼び径２５０ｍｍ〜２６００ｍｍの推進工法用ダクタイル鋳鉄管であって、その継手構造がＴ形、Ｕ形、ＵＦ形、ＵＳ形であるものは勿論、推進管として使用し得る継手構造のものであれば、例えば、そのＴ形、Ｕ形、ＵＦ形、ＵＳ形以外のＰＩＩ形、Ｓ形等の各種の継手構造の推進管においても、この発明を採用し得ることは勿論である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２０】
Ａ、Ａ’  推進管
１  推進管の直部
２  同受口
３  同挿し口
４  直部外周面のコンクリート層
４ａ  受口外周面のコンクリート層
５  ゴム輪
６  ロックリング
７  フランジ
８  推進力伝達材
９  突起
１０  樹脂筒（樹脂層）
【図１】
0006599144.tif 000002
【図２】
0006599144.tif 000003
【図３】
0006599144.tif 000004